(57)【要約】【課題】コンフォーマンステストのテストケースを抽出する時間や、コンフォーマンステストの測定に要する時間を短縮させることができる移動端末試験装置を提供すること。【解決手段】ユーザからの操作入力を受け付ける操作部４と、画像を表示する表示部５と、表示部５にコンフォーマンステストのテストケースの一覧と、予め性能情報が記憶されている移動端末１０の識別情報の一覧と、を表示させ、テストケースの一覧から選択されたテストケース毎に、当該テストケースの要件と、一覧から選択された移動端末１０の性能情報とを照合し、測定するテストケースを抽出する制御部６と、を備える。【選択図】図１
2020102684.tif 000002
【特許請求の範囲】
【請求項１】
移動端末（１０）のコンフォーマンステストを行なう移動端末試験装置（１）であって、
前記コンフォーマンステストのテストケースの一覧と、予め性能情報が記憶されている前記移動端末の識別情報の一覧と、を表示させ、前記テストケースの一覧から選択されたテストケース毎に、当該テストケースの要件と、前記移動端末の識別情報の一覧から選択された前記移動端末の前記性能情報とを照合し、測定するテストケースを抽出する制御部（６）を備える移動端末試験装置。
【請求項２】
前記制御部は、前記移動端末とのシグナリングメッセージの送受信により取得した前記性能情報を、当該移動端末を識別する識別情報と関連付けて記憶する請求項１に記載の移動端末試験装置。
【請求項３】
移動端末（１０）のコンフォーマンステストを行なう移動端末試験装置（１）のテストケース抽出方法であって、
前記コンフォーマンステストのテストケースの一覧と、予め性能情報が記憶されている前記移動端末の識別情報の一覧と、を表示させるステップと、
前記テストケースの一覧から選択されたテストケース毎に、当該テストケースの要件と、前記移動端末の識別情報の一覧から選択された前記移動端末の前記性能情報とを照合し、測定するテストケースを抽出するステップと、を備えるテストケース抽出方法。
【発明の詳細な説明】
【技術分野】
【０００１】
本発明は、移動端末の試験を行なう移動端末試験装置に関する。
【背景技術】
【０００２】
携帯電話やデータ通信端末等の移動体通信端末を開発した場合、この開発した移動体通信端末が正常に通信を行なえるか否かを試験する必要がある。このため、実際の基地局の機能を擬似する擬似基地局として動作する試験装置に試験対象の移動体通信端末を接続し、試験装置と移動体通信端末との間で通信を行ない、この通信の内容を確認する試験を行なっている。
【０００３】
このような試験の中には、移動体通信端末が３ＧＰＰ（3rd Generation Partnership Project）の規格に準じているかを確認するコンフォーマンステストなどがある。
【０００４】
コンフォーマンステストにおける確認項目一つ一つをテストケースと呼ぶ。それぞれのテストケースには、そのテストケースを行なう要件であるTest Applicabilityと呼ばれる、測定対象となる移動体通信端末の性能についての情報（性能情報）が明記されている。具体的には、UE Release Version、UE Category、UE Power Class、FGI(Feature Group Indicator)などの情報がある。
【０００５】
移動体通信端末の性能情報（UE Capabilityともいう）は、移動体通信端末から基地局にシグナリングメッセージにより伝えられる。
【０００６】
特許文献１には、ユーザ装置が自身のキャリアアグリゲーションに関する能力を基地局に効率的に通知する技術が記載されている。
【先行技術文献】
【特許文献】
【０００７】
【特許文献１】特開２０１７−９２８２７号公報
【発明の概要】
【発明が解決しようとする課題】
【０００８】
コンフォーマンステストを実施するために、テストケースのTest Applicabilityと、測定対象の移動体通信端末の性能情報とを照合して、測定すべきテストケースを抽出するためには、テストケースのTest Applicabilityと移動体通信端末の性能情報への深い理解が必要であり、大きな労力を要していた。
【０００９】
また、各テストケースの測定時に、測定対象の移動体通信端末の性能情報をシグナリングメッセージにより入手して測定すべきテストケースか自動判別する方法では、テストケースの測定毎に移動体通信端末の性能情報の取得が必要となり、測定時間が増大していた。
【００１０】
そこで、本発明は、コンフォーマンステストのテストケースを抽出する時間や、コンフォーマンステストの測定に要する時間を短縮させることができる移動端末試験装置を提供することを目的としている。
【課題を解決するための手段】
【００１１】
本発明の移動端末試験装置は、移動端末のコンフォーマンステストを行なう移動端末試験装置であって、前記コンフォーマンステストのテストケースの一覧と、予め性能情報が記憶されている前記移動端末の識別情報の一覧と、を表示させ、前記テストケースの一覧から選択されたテストケース毎に、当該テストケースの要件と、前記移動端末の識別情報の一覧から選択された前記移動端末の前記性能情報とを照合し、測定するテストケースを抽出する制御部を備えるものである。
【００１２】
この構成により、コンフォーマンステストのテストケースの一覧と、性能情報が記憶されている移動端末の識別情報の一覧と、が表示され、テストケースの一覧から選択されたテストケース毎に、そのテストケースの要件と、移動端末の識別情報の一覧から選択された移動端末の性能情報とが照合され、測定するテストケースが抽出される。このため、コンフォーマンステストのテストケースを抽出する時間や、コンフォーマンステストの測定に要する時間を短縮させることができる。
【００１３】
また、本発明の移動端末試験装置において、前記制御部は、前記移動端末とのシグナリングメッセージの送受信により取得した前記性能情報を、当該移動端末を識別する識別情報と関連付けて記憶するものである。
【００１４】
この構成により、移動端末とのシグナリングメッセージの送受信により取得した性能情報が記憶され、一覧表示される移動端末に追加される。このため、コンフォーマンステストのテストケースを抽出する時間や、コンフォーマンステストの測定に要する時間を短縮させることができる。
【００１５】
また、本発明の移動端末試験装置のテストケース抽出方法は、移動端末のコンフォーマンステストを行なう移動端末試験装置のテストケース抽出方法であって、前記コンフォーマンステストのテストケースの一覧と、予め性能情報が記憶されている前記移動端末の識別情報の一覧と、を表示させるステップと、前記テストケースの一覧から選択されたテストケース毎に、当該テストケースの要件と、前記移動端末の識別情報の一覧から選択された前記移動端末の前記性能情報とを照合し、測定するテストケースを抽出するステップと、を備えるものである。
【００１６】
この構成により、コンフォーマンステストのテストケースの一覧と、性能情報が記憶されている移動端末の識別情報の一覧と、が表示され、テストケースの一覧から選択されたテストケース毎に、そのテストケースの要件と、移動端末の識別情報の一覧から選択された移動端末の性能情報とが照合され、測定するテストケースが抽出される。このため、コンフォーマンステストのテストケースを抽出する時間や、コンフォーマンステストの測定に要する時間を短縮させることができる。
【発明の効果】
【００１７】
本発明は、コンフォーマンステストのテストケースを抽出する時間や、コンフォーマンステストの測定に要する時間を短縮させることができる移動端末試験装置を提供することができる。
【図面の簡単な説明】
【００１８】
【図１】図１は、本発明の一実施形態に係る移動端末試験装置の要部のブロック図である。
【図２】図２は、本発明の一実施形態に係る移動端末試験装置のコンフォーマンステストにおけるテストケースの例を示す図である。
【図３】図３は、本発明の一実施形態に係る移動端末試験装置のテストケース抽出処理の手順を説明するフローチャートである。
【発明を実施するための形態】
【００１９】
以下、図面を参照して、本発明の実施形態に係る移動端末試験装置について詳細に説明する。
【００２０】
図１において、本発明の一実施形態に係る移動端末試験装置１は、擬似基地局として同軸ケーブル等を介して有線で移動端末１０とＲＦ（無線周波数）信号を送受信するようになっている。なお、移動端末試験装置１は、アンテナを介して無線で移動端末１０とＲＦ信号を送受信するようにしてもよい。
【００２１】
移動端末試験装置１は、擬似基地局部２と、シナリオ処理部３と、操作部４と、表示部５と、制御部６とを含んで構成されている。
【００２２】
擬似基地局部２は、シナリオ処理部３の制御により、移動端末１０との間でＲＦ信号を送受信する。擬似基地局部２は、移動端末１０との通信の状態などを制御部６に出力する。
【００２３】
シナリオ処理部３は、制御部６からの指示により、記憶されているシナリオを読み出して、そのシナリオに基づいて擬似基地局部２に、報知情報を送信させたり、移動端末１０との間で通信シーケンスを実行させたりする。
【００２４】
操作部４は、キーボード、マウス、タッチパネル等の入力機器で構成され、操作入力されたシナリオの生成に必要な情報などを制御部６に出力する。表示部５は、液晶ディスプレイ等の画像表示機器で構成され、シナリオの生成に必要な情報を入力させる画像や試験中の状態を示す画像などを表示する。
【００２５】
制御部６は、操作部４に入力された指示に従って、試験シナリオの作成画面を表示部５に表示させて試験シナリオの生成に必要な情報を入力させたり、試験シナリオの作成画面において操作部４に入力された情報に基づいて試験シナリオを生成したりする。また、制御部６は、操作部４に入力された指示に従って、シナリオ処理部３に指示を送信して、記憶装置に記憶された試験シナリオに基づいて試験を実行させたり、シナリオ処理部３から送信される各レイヤの状態や移動端末１０との通信の状態などの情報に基づいて表示部５に試験中の状態などを表示させたりする。
【００２６】
ここで、移動端末試験装置１は、移動端末１０と通信を行なうための通信モジュールが設けられた図示しないコンピュータ装置によって構成される。このコンピュータ装置は、それぞれ図示しないＣＰＵ（Central Processing Unit）と、ＲＯＭ（Read Only Memory）と、ＲＡＭ（Random Access Memory）と、ハードディスク装置などの記憶装置と、入出力ポートと、タッチパネルとを有する。
【００２７】
このコンピュータ装置のＲＯＭ及びハードディスク装置には、コンピュータ装置を移動端末試験装置１として機能させるためのプログラムが格納されている。すなわち、ＣＰＵがＲＡＭを作業領域としてＲＯＭに格納されたプログラムを実行することにより、当該コンピュータ装置は、移動端末試験装置１として機能する。
【００２８】
このように、本実施形態において、シナリオ処理部３、制御部６は、ＣＰＵによって構成され、擬似基地局部２は、通信モジュールによって構成される。
【００２９】
このような構成の移動端末試験装置１において、記憶装置には、コンフォーマンステストのテストケースの情報が、それぞれのTest Applicabilityと、識別情報としてのテストケース番号と関連付けて記憶されている。
【００３０】
制御部６は、擬似基地局部２が移動端末１０とのシグナリングメッセージの送受信により取得した移動端末１０の性能情報（UE Capabilityともいう）を、移動端末１０を識別する識別子に関連付けて記憶装置に記憶させる。なお、移動端末１０の性能情報を操作部４の操作により入力させ、入力された識別子に関連付けて記憶装置に記憶させることも可能である。
【００３１】
制御部６は、操作部４への操作によりコンフォーマンステストの実行が選択されると、記憶装置に性能情報が記憶されている移動端末１０の識別子と、テストケースの一覧とを読み出し、テストケースの一覧と移動端末１０の識別子の一覧を表示部５に表示させる。
【００３２】
制御部６は、表示させたテストケースの一覧と移動端末１０の識別子の一覧から、実行したいテストケースと、試験したい移動端末１０の識別子を選択するように、表示部５にメッセージを表示させる。
【００３３】
制御部６は、実行したいテストケースと、試験したい移動端末１０の識別子が選択されると、選択されたテストケース毎に、テストケースのTest Applicabilityと、選択された移動端末１０の性能情報とを照合し、Test Applicabilityと性能情報とが一致しているテストケースを測定するテストケースとする。
【００３４】
コンフォーマンステストにおけるテストケースには、図２に示すように、テストケースごとにTest Applicabilityとして、例えば、UE Release Version、UE Category、UE Power Class、FGIなどの情報がある。Test Applicabilityと性能情報とが一致するということは、Test Applicabilityとして定義されている移動端末１０の性能の要件を、試験したい移動端末１０の性能情報が満たしているということである。
【００３５】
例えば、図２に示すテストケースにおいて、Release 9、Category 3、Power Class 3、FGI:N/Aの移動端末１０の試験を行なう場合、6.2.2、8.2.1.2.1、8.2.1.2.2、8.2.1.2.2_1のテストケースが測定するテストケースとなる。
【００３６】
制御部６は、選択されたテストケース全てについてTest Applicabilityと性能情報との照合を行なうと、測定すると判定されたテストケースの一覧を、測定予定テストケースとして表示部５に表示させる。
【００３７】
制御部６は、測定予定テストケースを表示している状態で、操作部４への操作により測定の実行が選択されると、測定予定テストケース一覧のテストケースを順次測定する。
【００３８】
このように、本実施形態においては、実行したいテストケースと、試験したい移動端末１０の識別子を選択するだけで、測定しなければならないテストケースが自動で抽出されるため、性能情報に合致するテストケースを手動で抽出する必要がなく、コンフォーマンステストのテストケースを抽出する時間を短縮させることができる。
【００３９】
また、移動端末１０の性能情報を、識別子に関連付けて記憶装置に記憶して、テストケース抽出の性能情報として使用するため、各テストケースの測定時に、測定対象の移動端末１０の性能情報をシグナリングメッセージにより入手する必要がなく、コンフォーマンステストの測定に要する時間を短縮させることができる。
【００４０】
また、擬似基地局部２が移動端末１０とのシグナリングメッセージの送受信により取得した移動端末１０の性能情報を、識別子に関連付けて記憶装置に記憶して、テストケース抽出の性能情報として使用するため、移動端末１０の性能情報を調べて設定する必要がなく、試験を効率的に行なうことができる。
【００４１】
以上のように構成された本実施形態に係る移動端末試験装置１によるテストケース抽出処理について、図３を参照して説明する。なお、以下に説明するテストケース抽出処理は、操作部４への操作によりコンフォーマンステストの実行が選択されると実行される。
【００４２】
ステップＳ１において、制御部６は、記憶装置に記憶されているUE Capabilityと、その移動端末１０の識別子を読み出す。
【００４３】
ステップＳ２において、制御部６は、記憶装置に記憶されているテストケース一覧を読み出す。
【００４４】
ステップＳ３において、制御部６は、テストケース一覧と、UE Capabilityが記憶されている移動端末１０の識別子の一覧とを表示部５に表示させる。
【００４５】
ステップＳ４において、制御部６は、表示部５にメッセージを表示させ、テストケースの一覧と移動端末１０の識別子の一覧から、実行したいテストケースと、試験したい移動端末１０の識別子を選択させる。
【００４６】
ステップＳ５において、制御部６は、選択されたテストケースからテストケースを一つ選択する。
【００４７】
ステップＳ６において、制御部６は、テストケースのTest Applicability情報と選択された移動端末１０のUE Capability情報とを照合する。
【００４８】
ステップＳ７において、制御部６は、Test ApplicabilityとUE Capabilityとが一致しているか否かを判定する。Test ApplicabilityとUE Capabilityとが一致していると判定した場合、ステップＳ８において、制御部６は、このテストケースを測定予定テストケース一覧に追加する。
【００４９】
ステップＳ７においてTest ApplicabilityとUE Capabilityとが一致していないと判定した場合、または、ステップＳ８においてテストケースを測定予定テストケース一覧に追加した後、ステップＳ９において、制御部６は、選択されたテストケース全てについてTest ApplicabilityとUE Capabilityとの照合を行なったか否かを判定する。選択されたテストケース全てについて照合を行なっていないと判定した場合、ステップＳ５に処理を戻して処理を繰り返す。
【００５０】
選択されたテストケース全てについて照合を行なったと判定した場合、ステップＳ１０において、制御部６は、抽出された測定予定テストケース一覧を表示部５に表示させる。
【００５１】
ステップＳ１１において、制御部６は、測定予定テストケース一覧を用いて測定を実行する。
【００５２】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００５３】
１  移動端末試験装置
２  擬似基地局部
４  操作部
５  表示部
６  制御部
【図１】
2020102684.tif 000003
【図２】
2020102684.tif 000004
【図３】
2020102684.tif 000005